(57)【要約】  【課題】就寝時に効果的な作用を及ぼすことの出来る寝具を提供すること。  【解決手段】  本発明にかかる寝具は、磁性体と炭とを含み、前記炭は竹炭とし、前記磁性体は就寝時の人体の平面投影形状に近似した形状に配列されている。また、前記磁性体は、表面と裏面とが異なる極性に帯磁させた板状の磁石とし、隣り合う磁石の極性が互いに異なるように配列されている。さらに、前記寝具を構成する綿に竹炭を練り込むとよい。【選択図】      図１
2005230163.tif 000002
【特許請求の範囲】
【請求項１】
磁性体と炭とを含有していることを特徴とする寝具。
【請求項２】
前記炭は、竹炭としたことを特徴とする請求項１に記載の寝具。
【請求項３】
前記磁性体は、就寝時の人体の平面投影形状に近似した形状に配列されていることを特徴とする請求項１、２の何れか１項に記載の寝具。
【請求項４】
前記磁性体は、表面と裏面とが異なる極性に帯磁させた板状の磁石としたことを特徴とする請求項１〜３の何れか１項に記載の寝具。
【請求項５】
前記磁性体は、隣り合う磁石の極性が互いに異なるように配列したことをを特徴とする請求項４に記載の寝具。
【請求項６】
前記寝具を構成する綿に、磁性体もしくは竹炭の少なくとも何れかが練り込まれていることを特徴とする請求項１〜５の何れか１項に記載の寝具。
【発明の詳細な説明】
【技術分野】
【０００１】
本発明は、就寝中に磁気による各種効果を利用できる寝具に関するものである。
【背景技術】
【０００２】
従来より、就寝中に磁気による各種効果を利用できる寝具としては、いわゆる磁気マットレスや磁気シーツ等が提案され、市販されているものもある。
【発明の開示】
【発明が解決しようとする課題】
【０００３】
ところが、上述したような従来の磁気を用いた寝具は、磁気の効果だけのものが多い。磁気だけでは身体に対する効果が十分ではないので、磁気以外の効果も期待して、セラミックを混合したり、ツボを刺激するための突起を設けたりした寝具も提案されている。
【０００４】
本発明は、磁気以外の効果を得るために、磁性体と炭を含んだ寝具を提供することを目的としてなされたものである。
【課題を解決するための手段】
【０００５】
本発明にかかる寝具の請求項１は、磁性体と炭とを含んでいることを特徴としている。
請求項２では、前記炭は、竹炭としたことを特徴としている。
請求項３では、前記磁性体は、就寝時の人体の平面投影形状に近似した形状に配列されていることを特徴としている。
請求項４では、前記磁性体は、表面と裏面とが異なる極性に帯磁させた板状の磁石としたことを特徴としている。
請求項５では、前記磁性体は、隣り合う磁石の極性が互いに異なるように配列したことをを特徴としている。
請求項６では、前記寝具を構成する綿に、磁性体もしくは竹炭の少なくとも何れかが練り込まれていることを特徴としている。
【０００６】
次に、磁性体と炭の相乗効果について説明する。
（１）磁石による効果
本発明の寝具では、静磁といわれる磁石を使用することが好ましい。これは、磁力線が一定の方向性（異方性磁石）を持った磁界を有するで次のような作用が考えられる。
まず、血液成分の中にはプラスイオンとマイナスイオンに電離するものが含まれており、それが血液中を流れると念流が流れる場合と同じ作用を起こす。そこに磁気によって磁場を与えると「フレミングの法則」によって力が発生する。この力がイオンの活動を活発にしし血液の流れをよくすると考えられる。
従って、磁気によって次のような効果が期待できる。
（ａ）東洋医学で言われている人体の気の流れ、経絡の流れを整える。
（ｂ）血液の循環をよくする。
（ｃ）精神安定作用がある。
このようにして、磁石の人体に対する作用は、従来の健康機器に使用されているものと同じ効果を持ち、人体の血行促進により筋肉の緊張や凝りがほぐれ、人体細胞の新陳代謝が促進される。
【０００７】
（２）竹炭による効果
また竹炭の出す遠赤外線により、人体の血流促進をし、また竹炭による多孔質の構造により人体から出る汗、においを吸収する。更に竹炭の発生するマイナスイオンにより新陳代謝促進、神経安定作用などが期待される。寝たきりの闘病患者等の寝だこなどの防止効果が期待できる。
【０００８】
（３）磁石と竹炭との組み合わせの作用
磁石の特性は異方性磁石を使用して、S、Nの極性配列をコントロールすることにより、身体表面の測定磁束密度を2000G(ガウス)を維持するように設計をした。
磁束の方向と竹炭の電位方向の配列は図３の様になっており、電位と磁力線の方向の安定制御が可能となる。
また、図４に示したように、磁力線が矢印の方向に流れ、竹炭の周りを取り囲みながら流れるよう磁石を配列した。そのため磁石の効果と竹炭の電位方向が、一定となり相乗的に磁石のエネルギーと、竹炭の遠赤外線効果がより効果的に発揮される。また磁界制御により無駄のない磁界の構造ができる。
【発明の効果】
【０００９】
本発明においては、磁石と炭とを組み合わせたことにより、炭、特に竹炭の電位と磁力線の方向の安定制御が可能となるとともに、磁石の効果と竹炭の電位方向が、一定となり相乗的に磁石のエネルギーと、竹炭の遠赤外線効果がより効果的に発揮される。また磁界制御により無駄のない磁界の構造ができる。
従って、磁石と竹炭の相乗効果によって、磁石による血行促進により筋肉の緊張や凝りがほぐれ、人体細胞の新陳代謝が促進される。また竹炭の出す遠赤外線により、人体の血流促進をし、また竹炭による多孔質の構造により人体から出る汗、においを吸収する。更に竹炭の発生するマイナスイオンにより新陳代謝促進、神経安定作用などが期待される。寝たきりの闘病患者等の寝だこなどの防止効果が期待できる。
【発明を実施するための最良の形態】
【００１０】
以下に、本発明にかかる寝具を、その実施の形態を示した図面に基づいて詳細に説明する。
図１には、本発明に用いる磁性体としての磁石１の斜視図を示した。図１に示したように、この磁石１は直径が例えば11mm程度で、厚みが２mm程度の円板形状であって、一方の円形の面をＮ極とし、他方の面をＳ極とした。磁束密度は約2,000Ｇとした。
【００１１】
図２には、本発明にかかる寝具２の平面図を示した。図２に示したように、前記寝具２においては、前記構成の磁石１を、就寝時の人体の平面投影形状に近似した形状に配列した。
また、前記磁石１は、隣り合う磁石の極性が互いに異なるように配列した。即ち、図２において、白く示した磁石１ＮはＮ極を上に向けて配置し、黒く示した磁石１ＳはＳ極を上に向けて配置した状態を示している。
【００１２】
図２において、仰向けに就寝中の人体を破線で示した。31は左腕、32は右腕、33は胴体、34は左足、35は右足、36は背骨の位置をそれぞれ示している。
図示したように、前記磁石１は、左右の腕と左右の足に沿って配置するとともに、背骨の両側に沿って配置した。また、特に、片と首にも配置した。
両腕に沿っては約30ｃｍ間隔で配置し、両足に沿っては約20ｃｍ間隔で配置し、背骨の両側に沿っては約10ｃｍ間隔で配置した。従って、１枚の寝具では、32個の磁石１を配置した。
【００１３】
竹炭は、図３、４に示したように、例えば半割円筒状の竹炭４とし、その長手方向を人体と直角方向に向けて配列し、竹炭４と竹炭４との間に前記磁石１Ｎ，１Ｓを交互に配列した。図４に示したように配列することにより、磁力線が矢印の方向に流れ、竹炭の周りを取り囲みながら流れる。そのため磁石の効果と竹炭の電位方向が、一定となり相乗的に磁石のエネルギーと、竹炭の遠赤外線効果がより効果的に発揮される。また磁界制御により無駄のない磁界の構造ができる。
または、竹炭を前記寝具２の全面に分布させてもよい。さらに、竹炭は小さな粒状のものでもよいが、粉末状にして、寝具を構成する合成樹脂製の綿や不織布の繊維に練り込んでもよい。綿や不織布に練り込むと磁石以外は全体として柔らかな綿状となるので、身体に違和感がなく、快適に使用できる。
また、炭としては、竹炭が最も好ましいが、備長炭等の種々の木炭でもよい。また、磁性体としては、円板状の磁石が好ましいが、方形の磁石でもよい。
【産業上の利用可能性】
【００１４】
本発明は、敷布団やシーツに限らず、掛け布団や毛布等にも応用することができる。さらには、寝具だけでなくサポータや衣服に応用することもできる。
【図面の簡単な説明】
【００１５】
【図１】本発明にかかる寝具に用いる磁石の実施の形態の斜視図である。
【図２】前記寝具の平面図である。
【図３】本発明の作用を説明する説明図である。
【図４】本発明の作用を説明する説明図である。
【符号の説明】
【００１６】
１  磁石
２  寝具
３  竹炭
【図１】
2005230163.tif 000003
【図２】
2005230163.tif 000004
【図３】
2005230163.tif 000005
【図４】
2005230163.tif 000006